(57)【特許請求の範囲】
【請求項１】
軽質材の枠組みを軽質材の板で挟んで作り、門扉のような形状の構造体を、水中に垂直に立てて設置した可動式津波緩衝堰であって、海側から上がってくる波を受けるように開口部を広げて設置し、前記構造体は津波などで大きな水塊が海 側から陸側に移動して来る力を利用して自動的に軸柱を軸として津波の流れの垂直方向に広がり、津波の流れに垂直になった位置で、津波の浸水の水中にある堰として機能し、主として後続して押し寄せる津波の大部分を堰き止めることにより、津波の威力を軽減する役目を果たし、前記構造体は、内部に空間を持ち、そこに浸水を取り込んで重量を増し、増加された重量を津波に移動させることにより津波のエネルギーをより多く消費させ、更に内部空間を浸水で、埋めることにより構造体の全体強度を高めるのに役立てることを特徴とする可動式津波緩衝堰。
【請求項２】
軽質材の枠組みを軽質材の板で挟んで作り、門扉のような形状の構造体を、陸上に邪魔にならないように垂直に立て、設置した可動式津波緩衝堰であって、 海側から上がってくる波を受けるように開口部を広げて設置し、前記構造体は津波などで大きな水塊が海側から陸側に移動して来る力を利用して、軸柱を軸として津波の流れの垂直方向に広がり、津波の流れに垂直になった位置で、津波の浸水の水中にある堰として機能し、主として後続して押し寄せる津波の大部分を堰き止めることにより、津波の威力を 軽減する役目を果たし、前記構造体は、内部に空間を 持ち、そこに浸水を取り込んで重量を増し、増加された重量を津波に移動させることにより津波のエネルギをより 多く消費させ、更に内部空間を浸水で埋めることにより構造体の全体強度を高めるのに役立てることを特徴とする可動式津波緩衝堰。
【発明の詳細な説明】
【技術分野】
【０００１】津波や高波などが、主として河川などの水流れがある箇所を通して、陸上を浸水する被害を抑えるために設置する防波堤に関するものである。
【背景技術】
【０００２】今までの津波防御用の防波堤は、鉄筋の入ったコンクリートなどを使った固定式のものが主体であり、大がかりで、材料費や工事費が膨大であった。  又、今までに発明されていた可動式のもので、通常時、河川の水流を阻害しないものは、構造が更に複雑で大掛かりであり、材料費や工事費が嵩むし、何かのセンサーで検知する必要があり、信頼性は必ずしも高くなかった。
【先行技術文献】
【０００３】
【特許文献１】特許公開４９−９４１３６
【発明の概要】
【発明が解決しようとする課題】
【０００４】他の可動式の防波堤で必要である複雑な工夫や動作を避け、自然の力をうまく活用した設計により、高い信頼性で動作が行われるようにすること。
固定式の防波堤でかかる膨大な材料費や工事費を低減させること。
河川内に設置した場合に、通常時の河川の水流を阻害することなく、津波や高波が押し寄せて来たときに、効果的に防波効果を発揮すること。
【課題を解決するための手段】
【０００５】材料費を節減するために軽質材を使い、大規模な基礎を必要とする固定式でなく、発生した津波などに対応して可動し、主として水中で機能して後から押し寄せる波を防止することを考慮した。  構造体を移動させるためのメカニズムとして、信頼性が高く、充分な作動力を与えるために、海から逆流して来る波のモーメントを受けて活用し、門を閉じるようにして、その後で防波堤とさせることを考案した。
【発明の効果】
【０００６】当発明では、軽質で環境に優しい材料として主に木材を使うので、安価な材料費、工事費で済む。  この装置は可動式であり、通常の水流を邪魔しないようにそれに沿って設置し、津波が押し寄せて来た時に、押し寄せる水の力で、水門を閉じるように動作し、その後、防波堤として河川を遡る津波や高波を防止する。  通常時は、川の流れによって、岸や橋脚などに沿うように抑えつけられているので、小型の船舶などの通行の邪魔にならないし、橋の下の視界も阻害しない。  景勝地では、景色を阻害しないで、災害防止ができる。
【図面の簡単な説明】
【０００７】
【図１】は、本発明の構造体図である。
【図２】は、本発明の構造体の軸柱への接続図である。
【図３】は、本発明の設置図と津波を緩衝する時の動作図である。
【図４】は、大型防波堤が必要な場合の構造体の対応案である。
【発明を実施するための形態】
【０００８】構造物は、「門扉形状の構造体」とそれの回転軸となる「軸柱」とで構成される。構造体は、木など軽質材の板２枚の間に、同じく軽質材の枠組みを挟みこみ、強度を持たせる。（この枠組みにより、内部に空間を持つので、その空間に水を取り込み、重量を増加して、津波の威力をより弱衰化させるのに寄与することができる。）
防波堤として機能するには、堰として機能する方向への広がりが必要であり、軽質材のみでは、１０ｍ横幅を基本と考えるが、鉄材などの補強により、２０〜７０ｍの横幅まで広げることも可能である。
高さ方向については、４−６ｍを基本とし、門扉高さの相応部分（基本として半分程度以上）が水中に没している状態になるように、設置する。これによって、門扉は水中に浮かび、この門扉全体の重量を繋ぎ部分で効率良く支え、門扉として動き易くすることができる。
軸柱は、頑丈であれば木製でも可であり、川岸近く、もしくは川中の水中に立てられる。軸柱と門扉の繋ぎの部分は、リング形状などの蝶番形式とする。構造体は垂直に、川の流れがある場合にはほぼその流れに沿わせて、設置し、通常の水流を邪魔することはない。そして、海側から上がってくる波を受けるように開口部（水受け部）を広げて設置し、ストッパーで抑えておく。これによって、津波が海側から遡り始めた時に、その津波の大きな水塊が海側から陸側に移動する力で、堰として機能する方向に広がって門が閉じるように動き、津波の流れに垂直になった位置で防波堤として機能する。そして、最も堰として有効な位置を維持できるように、水中にストッパーを設置し、（もしくは、海側からワイヤーで構造体を引っ張るなどして）防波堤効果を維持させる。
構造体の下部には、水底との間に隙間があり、堰として機能する位置に円滑に移動できる。堰として機能する位置においては、その隙間から津波が陸側に侵入することを許容し、構造体は、後続の津波の大部分を堰き止めることを主体とし、大きな津波の威力低減に役立てる。堰としての高さはあまり高くないが、最も海側に設置することができ、そこを通過するあまり高さのない津波を、その構造体の津波に向かう面積分、防止できるので、相応の効果が期待できる。
又、この隙間から津波の侵入を一部許容することにより、構造体は基本的に水中に置かれるので、それに応じた強度を持てば良い。
堰として機能させる範囲が広い場合には、広い構造体の横幅が必要となり、鉄材などによる補強を行う。そうすると、構造体全体の重量も上がり、作成や設置などの作業が難しくなる。そのような場合には、補強材で、門扉構造の外枠を作って、その内部にブロック形状に分割した軽質材の構造体を複数入れ込み、全体として門扉形状の構造物として機能させることにより、対応する。
【符号の説明】
【０００９】  １．防波門板：２枚の軽質材の板で、その間に枠組みを挟み込んで、防波門扉を構成す            る。閉門時に防波堤効果を発揮する。
２．防波門枠組み：防波門板と同じ横幅と高さを持つ、軽質材で作られた枠組みで、防            波門板で挟み込んで、固定することにより、防波門扉としての強度を高める            。内部に空間部を保持し、その中に水を取り込むことにより、門扉としての            重量を増し、津波威力を低減させる効果を増加させる。
３．防波門軸柱：防波門扉を動作（開閉）する軸となる支柱で、水中に立てる。  津波            が押し寄せて来た時は、防波門扉を背後から支える役割も果たす。
４．蝶番形式接合部：防波門扉と防波門軸柱を繋ぐ部分で、防波門扉が想定通りに川幅            方向に動くように設置する。軸柱を円筒形で包みこむような形式の接合部を            多数（６か所以上）設置させ、安定して機能させる。
５．開ストッパー：平常時の水流に対して防波門は開状態にあるが、津波が押し寄せた            時に、その津波を受け入れる開口部を確保するためのストッパーで、この開            口部に押し寄せた津波が、防波門を閉める役割を果たす。
６．閉ストッパー：防波門が閉まっていき、川幅方向に最大に広がった時に、その場所            で保持できるように、防波門の動きを止める役割をするストッパー。  水中            にストッパーを設置する（もしくは、通常時の下流方向から複数の頑丈なワ            イヤーで引っ張る）などで、その役割を持たせる。
【要約】      （修正有）【課題】複雑な工夫や動作を避け、自然の力をうまく活用した設計により、高い信頼性で動作が行われるようにする可動式の防波堤を提供する。【解決手段】防波堤の主体となる構造体は、軽質材の枠組みを軽質材の板で挟んだ形状で、軸柱に蝶番方式で接続して、通常は、その多くの部分を水中に没した状態で設置する。津波が押し寄せて来た時、軸柱を中心として防波門が閉じるように回転し、押し寄せる津波の遡上を防止する。防波門が閉じるのに必要な力は、押し寄せる津波のモーメントを活用する。引き波に対しては、元の開状態に戻るべく移動するので、引き波によって防波堤機能が破壊される心配はなく、繰り返し津波が押し寄せても、最初と同じように効果を発揮できる。【選択図】図３【図１】
0005559950.tif 000002
【図２】
0005559950.tif 000003
【図３】
0005559950.tif 000004
【図４】
0005559950.tif 000005